(57)【要約】【課題】  内扉に係るコスト低減に貢献できる自動販売機の内扉を提供する。【解決手段】  内扉１００を、第１分割板１０１と、第２分割板１０２と、両分割板１０１，１０２を連結するための連結部材１０６とから構成してあるので、一方または両方の分割板１０１，１０２を別に用意した他の分割板と置き換えて組み合わせることにより、内扉自体の大きさや商品排出口の位置，大きさ及び個数が異なる内扉を簡単且つ任意に得ることができる。【選択図】  図７
2005078190.tif 000002
【特許請求の範囲】
【請求項１】
１以上の商品排出口を有し商品コラムが収容された断熱室を開閉自在に覆う断熱性の内扉であって、
該内扉は少なくとも２つの分割板を連結することにより構成されている、
ことを特徴とする自動販売機の内扉。
【請求項２】
分割板とは別に用意した連結部材を分割板相互に固着することによって分割板が連結されている、
ことを特徴とする請求項１に記載の自動販売機の内扉。
【請求項３】
一方の分割板に設けた凹部と他方の分割板に設けた凸部とを嵌合して固着することによって分割板が連結されている、
ことを特徴とする請求項１に記載の自動販売機の内扉。
【請求項４】
連結部材または凹凸部の固着には止めネジが用いられている、
ことを特徴とする請求項２または３に記載の自動販売機の内扉。
【請求項５】
１以上の商品排出口を有し商品コラムが収容された断熱室を開閉自在に覆う断熱性の内扉を備えた自動販売機であって、
前記内扉は少なくとも２つの分割板を連結することにより構成されている、
ことを特徴とする自動販売機。
【請求項６】
分割板とは別に用意した連結部材を分割板相互に固着することによって分割板が連結されている、
ことを特徴とする請求項５に記載の自動販売機。
【請求項７】
一方の分割板に設けた凹部と他方の分割板に設けた凸部とを嵌合して固着することによって分割板が連結されている、
ことを特徴とする請求項５に記載の自動販売機。
【請求項８】
連結部材または凹凸部の固着には止めネジが用いられている、
ことを特徴とする請求項６または７に記載の自動販売機。
【発明の詳細な説明】
【技術分野】
【０００１】
本発明は、商品コラムが収容された断熱室を開閉自在に覆う断熱性の内扉と、この内扉を備えた自動販売機に関する。
【背景技術】
【０００２】
図１〜図６は従来の自動販売機の一例を示すもので、図１は自動販売機の外観斜視図、図２は図１から外扉を排除した斜視図、図３は図２から内扉を排除した斜視図、図４は図２に示した内扉の拡大斜視図、図５は図４に示した内扉の商品排出口部分の縦断面図、図６は商品搬出動作の説明図である。
【０００３】
この自動販売機は缶入り飲料や瓶入り飲料やペットボトル入り飲料等を販売するためのもので、前面を開口した箱形のキャビネット１と、キャビネット１の前面開口を開閉自在に覆う外扉２とを備える。外扉２はその幅方向左端部を、キャビネット１の上面左側に設けられたブラケット３と下側張出部分に回転自在に支持されている。
【０００４】
外扉２前面の上部にはガラスや透明樹脂等から成る透明板４が設けられ、その裏側にはサンプル室（符号無し）が設けられている。サンプル室内には複数のサンプル載置台５が設けられ、各々の上には収納商品に対応した複数の商品サンプル６が交換可能に載置されている。また、透明板５の前面には各商品サンプル６に対応した商品選択ボタン７が設けられている。
【０００５】
また、外扉２前面の透明板４の左下側にはガラスや透明樹脂等から成る透明板８が設けられ、その裏側には広告室（符号無し）が設けられている。広告室内にはポスター等の広告媒体９が交換可能に取り付けられている。
【０００６】
さらに、外扉２前面の透明板４の右下側には、ロック用操作レバー１０と、硬貨投入口１１と、返却レバー１２と、表示部１３と、紙幣投入口１４と、硬貨返却口１５が設けられている。操作レバー１０は外扉２の内側に設けられたロック機構（図示省略）を動作するためのもので、専用キーによる操作によって使用可能な状態となる。さらに、外扉２前面の下部には商品販売口１６が設けられていて、この商品販売口１６には透明樹脂等から成るフラップドア１７が設けられている。
【０００７】
キャビネット１内にはキャビネット内壁と隔壁２２で囲まれた前面開口の断熱室ＨＩＲ（図５参照）が設けられ、隔壁２２の下側空間は機械室ＭＲ（図５参照）となっている。断熱室ＨＩＲ内にはサーペンタイン式コラム等から成る商品コラム２４が仕切り板２３を介して複数個（図中は４個）収容されている。因みに、断熱室ＨＩＲを構成するキャビネット内壁は表面板とその内部に設けられた断熱材（何れも図示省略）とから構成され、また、隔壁２２は表面板２２ａとその内部に設けられた断熱材２２ｂとから構成されている。各商品コラム２４は上部に商品補充口２４ａを有し、収納商品を１個宛落下搬出するための商品搬出機（図示省略）をその下部に有する。また、各商品コラム２４の下側には、落下搬出された商品Ｇ（図６参照）を前方に導くための傾斜板２５が設けられ、この傾斜板２５はブラケット２６（図５参照）を介して隔壁２２に固着されている。
【０００８】
また、キャビネット１内には、断熱室ＨＩＲの前面開口を開閉自在に覆う断熱性の内扉１８が設けられている。この内扉１８はその幅方向左端部に設けられた筒状部品１９を、キャビネット１の左側内面に設けられた軸受部品１ａに回転自在に支持されている。因みに、内扉１８は表面板１８ａとその内部に設けられた断熱材１８ｂとから構成され全体が矩形状を成している。
【０００９】
図４及び図５から分かるように、内扉１８の下部には前記傾斜板２５それぞれに対応してユニット取付口１８ｃが複数個（図中は４個）並設されており、各ユニット取付口１８ｃには排出口ユニット２０が固着されている。この排出口ユニット２０は、枠部材２０ａとその内側に設けられたフラップドア２０ｂとを備えており、枠部材２０ａの内孔が商品排出口２０ｃとなっている。フラップドア２０ｂはその上端に設けられた軸２０ｂ１を枠部材２０ａの内面後側上端に回転自在に支持されている。また、枠部材２０ａには複数の取付穴２０ａ２を有するフランジ２０ａ１が設けられ、その内面にはフラップドア２０ｂの後方回転を規制するストッパー２０ａ２が設けられている。この排出口ユニット２０は枠部材２０ａのフランジ２０ａ１よりも後側部分をユニット取付口１８ｃに挿入し、フランジ２０ａ１の取付穴２０ａ２に止めネジＣＳを差し込んで内扉１８のネジ穴ＣＳｈにねじ込むことによって内扉１８に取り付けられている。
【００１０】
また、内扉１８の幅方向右端部には内扉１８のロック及びロック解除と開閉を行うためのハンドル部２１が設けられている。このハンドル部２１は、ハンドル２１ａとこれを回転自在に支持する取付部品２１ｂとから成り、取付部材２１ｂは止めネジＣＳによって内扉１８に取り付けられている。キャビネット１の右側内面にはハンドル２１ａの右端部２１ａ２と係合可能なロック片（図示省略）が設けられていて、ハンドル２１ａの左端部２１ａ１を上方に持ち上げることで右端部２１ａ２とロック片との係合を解き、ハンドル２１ａの左端部２１ａ１を下方に押し下げることで右端部２１ａ２をロック片に係合させて内扉１８の背面に設けたパッキンＰＫをキャビネット内壁と隔壁２２の前面に圧接することができる。
【００１１】
前述の自動販売機にあって所定の商品コラム２４から落下搬出された商品Ｇは、図６に示すように、傾斜板２５の傾斜に従って前方に移動して内扉１８のフラップドア２０ｂを押し退け、商品排出口２０ｃを通じて外扉２内側の商品受け板２７上に排出される。排出後の商品Ｇは、外扉２のフラップドア１７を手で押し込むことよって取り出すことができる。
【特許文献１】特開平８−１０１９５３号公報
【発明の開示】
【発明が解決しようとする課題】
【００１２】
ところで、前記内扉１８自体の大きさや前記商品排出口２０ｃの位置，大きさ及び個数は自動販売機の機種毎に異なるため、内扉１８には機種それぞれに応じた多くの種類のものが必要となる。自動販売機のコストダウンを行うには部品の共通化及び標準化が必至であるが、前記の事情からして内扉は共通化及び標準化の対象から基本的に外れているため、コスト低減を行うにも今のところ有効な手段は存在しない。
【００１３】
本発明は前記事情に鑑みて創作されたもので、その目的とするところは、内扉に係るコスト低減に貢献できる自動販売機の内扉と、この内扉を備えた自動販売機を提供することにある。
【課題を解決するための手段】
【００１４】
前記目的を達成するため、本発明は、１以上の商品排出口を有し商品コラムが収容された断熱室を開閉自在に覆う断熱性の内扉であって、該内扉は少なくとも２つの分割板を連結することにより構成されている、ことをその特徴とする。
【００１５】
また、本発明は、１以上の商品排出口を有し商品コラムが収容された断熱室を開閉自在に覆う断熱性の内扉を備えた自動販売機であって、前記内扉は少なくとも２つの分割板を連結することにより構成されている、ことをその特徴とする。
【発明の効果】
【００１６】
本発明によれば、分割板として形態の異なるものを複数種用意しておけば、これらを適宜組み合わせて連結することによって内扉自体の大きさや商品排出口の位置，大きさ及び個数が異なる多種類の内扉を得ることができるので、分割板の共通化及び標準化が可能であり、これにより内扉のコスト低減に大きく貢献できる。
【００１７】
本発明の前記目的とそれ以外の目的と、構成特徴と、作用効果は、以下の説明と添付図面によって明らかとなる。
【発明を実施するための最良の形態】
【００１８】
図７は本発明を適用した内扉の拡大斜視図であり、この内扉１００は、第１分割板１０１と、第２分割板１０２と、両分割板１０１，１０２を連結するための連結部材１０６とから構成されている。この内扉１００の大きさと商品排出口１０４ｃの位置及び大きさは図２及び図４に示した内扉１８と同じであるので、この内扉１８の代わりに使用することができる。
【００１９】
図８及び図９からも分かるように、第１分割板１０１は表面板１０１ａとその内部に設けられた断熱材１０１ｂとから構成され全体が矩形状を成している。この第１分割板１０１の幅方向左端部には、キャビネット１の左側内面に設けられた軸受部品１ａに回転自在に支持可能な筒状部品１０３が設けられている。この筒状部品１０３の大きさ及び位置は図２及び図４に示した内扉１８の筒状部品１９と同じである。
【００２０】
また、第１分割板１０１の幅方向右端部には、内扉１０１のロック及びロック解除と開閉を行うためのハンドル部１０５が設けられている。このハンドル部１０５は、ハンドル１０５ａとこれを回転自在に支持する取付部品１０５ｂとから成り、取付部材１０５ｂは止めネジＣＳによって第１分割板１０１に取り付けられている。このハンドル部１０５の構成及び位置は図２及び図４に示した内扉１８のハンドル部２１と同じである。
【００２１】
さらに、第１分割板１０１の下端部周囲には、連結部材１０６の取付穴１０６ａに対応したネジ穴ＣＳｈが複数個設けられている。
【００２２】
一方、第２分割板１０２は表面板１０２ａとその内部に設けられた断熱材１０２ｂとから構成され全体が矩形状を成している。この第２分割板１０２にはユニット取付口１０２ｃが複数個（図中は４個）並設されており、各ユニット取付口１０２ｃには排出口ユニット１０４が固着されている。この排出口ユニット１０４は、枠部材１０４ａとその内側に設けられたフラップドア１０４ｂとを備えており、枠部材１０４ａの内孔が商品排出口１０４ｃとなっている。フラップドア１０４ｂはその上端に設けられた軸１０４ｂ１を枠部材１０４ａの内面後側上端に回転自在に支持されている。また、枠部材１０４ａには複数の取付穴１０４ａ２を有するフランジ１０４ａ１が設けられ、その内面にはフラップドア１０４ｂの後方回転を規制するストッパー１０４ａ２が設けられている。この排出口ユニット１０４は枠部材１０４ａのフランジ１０４ａ１よりも後側部分をユニット取付口１０２ｃに挿入し、フランジ１０４ａ１の取付穴１０４ａ２に止めネジＣＳを差し込んで第２分割板１０２のネジ穴ＣＳｈにねじ込むことによって第２分割板１０２に取り付けられている。この排出口ユニット１０４の構成，及び取付位置と商品排出口１０４ｃの大きさは図２及び図４に示した内扉１８の排出口ユニット２０と同じである。
【００２３】
また、第２分割板１０２の上端部周囲には、連結部材１０６の取付穴１０６ａに対応したネジ穴ＣＳｈが複数個設けられている。
【００２４】
他方、連結部材１０６は横長金属板の両端部を第１，第２分割板１０１，１０２の幅寸法に合わせて９０度屈曲した形状を成しており、複数の取付穴１０６ａがその上下辺に沿って設けられている。
【００２５】
連結部材１０６を用いて第１分割板１０１と第２分割板１０２とを連結して内扉１００を作成するときには、第１分割板１０１の下端面と第２分割板１０２の上端面とを密着させ、同状態で両分割板１０１，１０２の境界部分に連結部材１０６をあてがい、連結部材１０６の取付穴１０６ａに止めネジＣＳを差し込んで第１分割板１０１のネジ穴ＣＳｈと第２分割板１０２のネジ穴ＣＳｈにねじ込んで固着する。勿論、第１分割板１０１と第２分割板１０２の一方に連結部材１０６を先に固着しておいてから他方に連結部材１０６を固着するようにしても構わない。
【００２６】
前記の内扉１１０は、２つの分割板１０１，１０２を連結することにより構成されているので、一方または両方の分割板１０１，１０２を別に用意した他の分割板と置き換えて組み合わせることにより、内扉自体の大きさや商品排出口の位置，大きさ及び個数が異なる内扉を簡単且つ任意に得ることができる。
【００２７】
図１０と図１１は大きさが異なる内扉を得る場合の例を示すもので、図１０に示すように第１分割板１０１を縦寸法が小さな別の分割板１１１に置き換えれば、縦寸法が小さな内扉１１０を得ることができる。また、図１１に示すように第１分割板１０１を縦寸法が大きな別の分割板１２１に置き換えれば、縦寸法が大きな内扉１２０を得ることができる。
【００２８】
図１２と図１３は商品排出口の位置，大きさ及び個数が異なる内扉を得る場合の例を示すもので、図１２に示すように第２分割板１０２を商品排出口１０４ｃの数が少ない分割板１１２に置き換えれば、商品排出口１０４ｃの数及び位置が異なる内扉１３０を得ることができる。また、図１３に示すように第２分割板１０２を商品排出口１０４ｃ，１１４ｃの数が少なく、且つ、商品排出口１１４ｃの大きさが他よりも大きい分割板１２２に置き換えれば、商品排出口１０４ｃ，１１４ｃの数，位置及び大きさが異なる内扉１４０を得ることができる。尚、図１３に示した排出口ユニット１１４は排出口ユニット１０４よりも商品排出口１１４ｃの横寸法が大きなもので、排出口ユニット１０４と同様、枠部材１１４ａとその内側に設けられたフラップドア１１４ｂとを備える。
【００２９】
つまり、第１分割板として形態の異なるものを複数種用意し、且つ、第２分割板して形態が異なるものを複数種用意しておけば、これらを適宜組み合わせて連結することによって内扉自体の大きさや商品排出口の位置，大きさ及び個数が異なる多種類の内扉を得ることができるので、第１分割板と第２分割板と連結部材の共通化及び標準化が可能であり、これにより内扉のコスト低減に大きく貢献できる。
【００３０】
図７〜図１３では、第１分割板１０１（１１１，１２１）と第２分割板１０２（１１２，１２２）を連結部材１０６を用いて連結したものを示したが、図１４に示すような連結部材１０７及び１０８を用いて第１分割板１０１と第２分割板１０２との連結を行うようにしてもよい。図１４に示した連結部材１０７は横長金属板から成り、複数の取付穴１０７ａがその上下辺に沿って設けられている。また、図１４に示した連結部材１０８は横断面コ字形の金属板から成り、複数の取付穴１０８ａが折り曲げ部分に沿って設けられている。
【００３１】
連結部材１０７，１０８を用いて第１分割板１０１と第２分割板１０２とを連結して内扉を作成するときには、第１分割板１０１の下端面と第２分割板１０２の上端面とを密着させ、同状態で両分割板１０１，１０２の境界部分の表面側に連結部材１０７をあてがい、連結部材１０７の取付穴１０７ａに止めネジＣＳを差し込んで第１分割板１０１のネジ穴ＣＳｈと第２分割板１０２のネジ穴ＣＳｈにねじ込んで固着すると共に、両分割板１０１，１０２の境界部分の両側に連結部材１０８をあてがい、連結部材１０８の取付穴１０８ａに止めネジＣＳを差し込んで第１分割板１０１のネジ穴ＣＳｈと第２分割板１０２のネジ穴ＣＳｈにねじ込んで固着する。勿論、第１分割板１０１と第２分割板１０２の一方に連結部材１０７，１０８を先に固着しておいてから他方に連結部材１０７，１０８を固着するようにしても構わない。また、連結部材１０８として長尺のものを使用して内扉両側部の全体を覆うようにしてもよいし、連結部材１０８を使用せずに連結部材１０７のみで所期の連結を行うようにしたり、或いは、連結部材１０７を使用せずに連結部材１０８のみで所期の連結を行うようにしてもよい。
【００３２】
また、図７〜図１３では連結部材１０６を用いたものを示し図１４では連結部材１０７，１０８の少なくとも一方を用いたものを示したが、このような連結部材を用いなくとも第１分割板１０１と第２分割板１０２との連結を行うことができる。例えば、図１５に示すように第１分割板１０１の下端面に幅方向に延びる凹部１０１ｃを設け、第２分割板１０２の上端面に幅方向に延びる凸部１０２ｄを設けて凹部１０１ｃに嵌合できるようにしておけば、第１分割板１０１の凹部１０１ｃに第２分割板１０２の凸部１０２ｄを嵌合してこの嵌合部分を止めネジＣＳによって固定することにより、第１分割板１０１と第２分割板１０２との連結を行うことができる。
【００３３】
また、図７〜図１５では、表面板とその内部に設けられた断熱材とから成るものを第１分割板１０１（１１１，１２１）と第２分割板１０２（１１２，１２２）として示したが、各分割板には断熱性及び剛性を有するものであれば多孔質プラスチックや多孔質セラミックス等から成る断熱プレートをそのまま使用することもできる。図１６（Ａ）は第１分割板１０１’に前記断熱プレートを用いた例を示し、図１６（Ｂ）は第１分割板１０１’と第２分割板１０２’の両方に前記断熱プレートを用いた例を示すもので、このような断熱プレートを分割板として用いた場合には分割板の単価を低減して前記のコスト低減により一層貢献できる。
【００３４】
尚、前述の説明では、２つの分割板を連結して内扉を構成したものを示したが、３以上の分割板を連結して内扉を構成する場合でも前記同様の作用効果が得られることは言うまでもない。
【図面の簡単な説明】
【００３５】
【図１】従来例を示す自動販売機の外観斜視図である。
【図２】図１から外扉を排除した斜視図である。
【図３】図２から内扉を排除した斜視図である。
【図４】図２に示した内扉の拡大斜視図である。
【図５】図４に示した内扉の商品排出口部分の縦断面図である。
【図６】商品搬出動作の説明図である。
【図７】本発明を適用した内扉の拡大斜視図である。
【図８】図７に示した内扉の分解斜視図である。
【図９】図７に示した内扉の縦断面図である。
【図１０】大きさが異なる内扉を得る場合の例を示す斜視図である。
【図１１】大きさが異なる内扉を得る場合の例を示す斜視図である。
【図１２】商品排出口の位置，大きさ及び個数が異なる内扉を得る場合の例を示す斜視図である。
【図１３】商品排出口の位置，大きさ及び個数が異なる内扉を得る場合の例を示す斜視図である。
【図１４】連結部材の他の例を示す内扉の分解斜視図である。
【図１５】連結部材を用いずに分割板の連結を行う場合の例を示す内扉の縦断面図である。
【図１６】分割板に断熱プレートをそのまま使用した例を示す内扉の要部縦断面図である。
【符号の説明】
【００３６】
２４…商品コラム、ＨＩＲ…断熱室、１００，１１０，１２０，１３０，１４０…内扉、１０１，１１１，１２１…第１分割板、１０１ｃ…凹部、１０２，１１２，１２２…第２分割板、１０２ｄ…凸部、１０４ｃ，１１４ｃ…商品排出口、１０６，１０７，１０８…連結部材、ＣＳ…止めネジ。
【図１】
2005078190.tif 000003
【図２】
2005078190.tif 000004
【図３】
2005078190.tif 000005
【図４】
2005078190.tif 000006
【図５】
2005078190.tif 000007
【図６】
2005078190.tif 000008
【図７】
2005078190.tif 000009
【図８】
2005078190.tif 000010
【図９】
2005078190.tif 000011
【図１０】
2005078190.tif 000012
【図１１】
2005078190.tif 000013
【図１２】
2005078190.tif 000014
【図１３】
2005078190.tif 000015
【図１４】
2005078190.tif 000016
【図１５】
2005078190.tif 000017
【図１６】
2005078190.tif 000018